(57)【要約】【課題】本発明は、干渉現象の発生を防止するリモコン機能を有する電子装置を提供する。【解決手段】電子装置は、第一受信器及び第二受信器と、デコーディングユニットと、第一受信器及び第二受信器の出力端とデコーディングユニットの入力端との間に電気的に接続されている論理回路と、を備える。論理回路は、第一受信器及びデコーディングユニットに第一信号伝送チャネルを提供し、第二受信器及びデコーディングユニットに第二信号伝送チャネルを提供する。第一信号伝送チャネルは、第一受信器によって受信されたリモコン信号をデコーディングユニットに伝送する。第二信号伝送チャネルは、第二受信器によって受信されたリモコン信号をデコーディングユニットに伝送する。１つの信号伝送チャネルがリモコン信号を伝送すると、他の信号伝送チャネルは、第一所定時間内で信号伝送を遮断する。【選択図】図３
2013229874.tif 000002
【特許請求の範囲】
【請求項１】
外部リモコン信号を受信するための第一受信器及び第二受信器と、受信されたリモコン信号に対してデコーディングするためのデコーディングユニットと、を備えるリモコン機能を有する電子装置であって、
前記電子装置は、前記第一受信器及び前記第二受信器の出力端と前記デコーディングユニットの入力端との間に電気的に接続されている論理回路をさらに備え、前記論理回路は、前記第一受信器及び前記デコーディングユニットに第一信号伝送チャネルを提供し、前記第二受信器及び前記デコーディングユニットに第二信号伝送チャネルを提供することに用いられ、前記第一信号伝送チャネルは、前記第一受信器によって受信されたリモコン信号を前記デコーディングユニットに伝送することに用いられ、前記第二信号伝送チャネルは、前記第二受信器によって受信されたリモコン信号を前記デコーディングユニットに伝送することに用いられ、その中の１つの信号伝送チャネルがリモコン信号を伝送すると、他の信号伝送チャネルは、第一所定時間内で信号伝送を遮断することを特徴とするリモコン機能を有する電子装置。
【請求項２】
前記論理回路は、第一ダイオード及び第二ダイオードを備え、前記第一ダイオードの陰極は、前記第一受信器の出力端に電気的に接続され、前記第二ダイオード陰極は、前記第二受信器の出力端に電気的に接続され、前記第一ダイオードと前記第二ダイオードとの陽極は、前記デコーディングユニットの入力端に共に電気的に接続され、且つ抵抗によって電圧入力端に電気的に接続され、前記第一受信器の出力端から前記第一ダイオードを経て前記デコーディングユニットの入力端までの接続チャネルによって第一信号伝送チャネルが構成され、前記第二受信器の出力端から前記第二ダイオードを経てデコーディングユニットの入力端までの接続チャネルによって第二信号伝送チャネルが構成されることを特徴とする請求項１に記載のリモコン機能を有する電子装置。
【請求項３】
関係リストを予め記憶するための記憶ユニットをさらに備え、前記関係リストには、複数の固有値が記載され、各々の固有値は、それぞれ１つのリモートコマンドに対応することを特徴とする請求項１又は２に記載のリモコン機能を有する電子装置。
【請求項４】
前記デコーディングユニットは、受信されたリモコン信号に対してデコーディングして対応するデジタル信号を得、前記電子装置は、制御ユニットをさらに備え、該制御ユニットは、前記記憶ユニットに記憶される前記関係リストを読み込んで、前記関係リストの中でデコーディングされたデジタル信号に対応する固有値を検索し、該固有値に対応するリモートコマンドを確認し、且つ該リモートコマンドに基づいて前記リモコン機能を有する電子装置を制御して対応する動作を行うことを特徴とする請求項３に記載のリモコン機能を有する電子装置。
【請求項５】
前記第一所定時間は、１つのリモコン信号が信号伝送チャネルに入ってから前記デコーディングユニットに伝送したまでの必要な時間を指すことを特徴とする請求項１から４のいずれか１項に記載のリモコン機能を有する電子装置。
【発明の詳細な説明】
【技術分野】
【０００１】
本発明は、電子装置に関し、リモコン機能を有する電子装置に関するものである。
【背景技術】
【０００２】
電気産業の持続的発展に伴って、多くの家電は、リモートコントロールによって制御される。従来において、ある家電には、２つ以上のリモートコントロールが配置されている。図１に示したように、回転可能な放送装置１０において、ディスプレイ及びマザーボードには、それぞれリモコン受信器１１、１２が配置されている。これにより、ユーザーは、任意の位置で画面を回転させて、ユーザー自身に対向にすることができる。しかし、図２に示したように、リモコン受信器１１、１２は、デコーディングユニット１３に共に電気的に接続されている。リモコン受信器１１、１２によって連続に受信された後、リモコン受信器１１、１２の応答時間が異なるため、デコーディングユニット１３に伝送されたリモコン信号は、部分的に重畳されることに起因する干渉現象を招く。
【発明の概要】
【発明が解決しようとする課題】
【０００３】
本発明の目的は、前記課題を解決するために、干渉現象の発生を防止するリモコン機能を有する電子装置を提供することである。
【課題を解決するための手段】
【０００４】
前記目的を達成するため、本発明に係るリモコン機能を有する電子装置は、外部リモコン信号を受信するための第一受信器及び第二受信器と、受信されたリモコン信号に対してデコーディングするためのデコーディングユニットと、前記第一受信器及び前記第二受信器の出力端と前記デコーディングユニットの入力端との間に電気的に接続されている論理回路と、を備える。前記論理回路は、前記第一受信器及び前記デコーディングユニットに第一信号伝送チャネルを提供し、前記第二受信器及び前記デコーディングユニットに第二信号伝送チャネルを提供することに用いられ、前記第一信号伝送チャネルは、前記第一受信器によって受信されたリモコン信号を前記デコーディングユニットに伝送することに用いられ、前記第二信号伝送チャネルは、前記第二受信器によって受信されたリモコン信号を前記デコーディングユニットに伝送することに用いられ、その中の１つの信号伝送チャネルがリモコン信号を伝送すると、他の信号伝送チャネルは、第一所定時間内で信号伝送を遮断する。
【発明の効果】
【０００５】
本発明のリモコン機能を有する電子装置は、２つの受信器の出力端とデコーディングユニットの入力端との間には、論理回路が電気的に接続されている。応答が遅い受信器のリモコン信号が遮断される。これにより、２つの受信器の間の干渉現象の発生を防止することができる。
【図面の簡単な説明】
【０００６】
【図１】従来のリモコン機能を有する電子装置を示す図である。
【図２】図１に示すリモコン機能を有する電子装置のブロック図である。
【図３】本発明の実施形態に係るリモコン機能を有する電子装置を示す図である。
【発明を実施するための形態】
【０００７】
以下、図面を参照して、本発明の実施形態について説明する。
【０００８】
図３を参照すると、リモコン機能を有する電子装置２０は、リモートコントロールと無線で通信することができる。リモコン機能を有する電子装置２０は、第一受信器２１と、第二受信器２２と、デコーディングユニット２３と、第一及び第二受信器２１、２２の出力端とデコーディングユニット２３の入力端との間に電気的に接続されている論理回路２４と、を備える。その中で、第一受信器２１及び第二受信器２２は、それぞれリモコン機能を有する電子装置２０の異なる部品に配置され、且つ外部リモートコントロールから出力されたリモコン信号を受信するために用いられる。例えば、ディスプレイ又はマザーボードである。
【０００９】
論理回路２４は、第一受信器２１及びデコーディングユニット２３に第一信号伝送チャネル２４１を提供し、第二受信器２２及びデコーディングユニット２３に第二信号伝送チャネル２４２を提供する。第一信号伝送チャネル２４１は、第一受信器２１によって受信されたリモコン信号をデコーディングユニット２３に伝送する。第二信号伝送チャネル２４２は、第二受信器２２によって受信されたリモコン信号をデコーディングユニット２３に伝送する。その中の１つの信号伝送チャネルでリモコン信号を伝送すると、他の信号伝送チャネルは、第一所定時間内で信号伝送を遮断する。本実施形態において、第一所定時間は、１つのリモコン信号が信号伝送チャネルに入ってからデコーディングユニット２３に伝送したまでの必要な時間を指す。
【００１０】
本実施形態において、論理回路２４は、第一ダイオードＤ１及び第二ダイオードＤ２を備える。第一ダイオードＤ１の陰極は、第一受信器２１の出力端に電気的に接続される。第二ダイオードＤ２陰極は、第二受信器２２の出力端に電気的に接続される。第一ダイオードＤ１と第二ダイオードＤ２との陽極は、デコーディングユニット２３の入力端に共に電気的に接続され、且つ抵抗Ｒ１によって電圧入力端Ｖｃｃに電気的に接続される。第一受信器２１の出力端から第一ダイオードＤ１を経てデコーディングユニット２３の入力端までの接続チャネルによって第一信号伝送チャネル２４１が構成される。第二受信器２２の出力端から第二ダイオードＤ２を経てデコーディングユニット２３の入力端までの接続チャネルによって第二信号伝送チャネル２４２が構成される。
【００１１】
第一受信器２１と第二受信器２２は、リモートコントロールから出力したリモコン信号連続に受信し、且つ応答時間が異なる場合、応答が速い受信器は、リモコン信号を受信して論理回路２４の対応する１つの信号伝送チャネルによってデコーディングユニット２３に伝送する一方、応答が遅い受信器の出力信号は、信号伝送チャネルのダイオードによって遮断されるため、応答が速い受信器に比べて少なくとも第一所定時間を遅延した後デコーディングユニット２３に伝送される。これにより、２つのリモコン信号は、干渉現象を発生することに防止することができる。
【００１２】
デコーディングユニット２３は、受信されたリモコン信号に対してデコーディングして対応するデジタル信号を得る。
【００１３】
本実施形態において、リモコン機能を有する電子装置２０は、記憶ユニット２５及び制御ユニット２６をさらに備える。記憶ユニット２５によって関係リストが予め記憶されている。関係リストには、複数の固有値が記載されている。各々の固有値は、それぞれ１つのリモートコマンドに対応する。
【００１４】
制御ユニット２６は、記憶ユニット２５に記憶される関係リストを読み込んで、該関係リストの中でデコーディングされたデジタル信号に対応する固有値を検索する。これにより、該固有値に対応するリモートコマンドを確認し、且つ該リモートコマンドに基づいてリモコン機能を有する電子装置２０を制御して対応する動作を行う。
【００１５】
他の実施形態において、デコーディングユニット２３は、１つのリモコン信号を受信した後の第二所定時間内でいずれかの信号を受信しないことができ、リモコン機能を有する電子装置２０が同じ動作を応答することに起因する誤作動の発生を免れる。第二所定時間は、２つの受信器の応答速度の差異時間より大きい時間を指す。
【００１６】
本発明のリモコン機能を有する電子装置２０において、２つの受信器の出力端とデコーディングユニット２３の入力端との間には、論理回路が電気的に接続されている。応答が遅い受信器のリモコン信号が遮断される。これにより、２つの受信器の間の干渉現象の発生を防止することができる。
【００１７】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲から決まる。
【符号の説明】
【００１８】
１０  放送装置
１１、１２  リモコン受信器
１３、２３  デコーディングユニット
２０  リモコン機能を有する電子装置
２１  第一受信器
２２  第二受信器
２４  論理回路
２４１  第一信号伝送チャネル
２４２  第二信号伝送チャネル
２５  記憶ユニット
２６  制御ユニット
Ｄ１  第一ダイオード
Ｄ２  第二ダイオード
Ｖｃｃ  電圧入力端
Ｒ１  抵抗
【図１】
2013229874.tif 000003
【図２】
2013229874.tif 000004
【図３】
2013229874.tif 000005